(57)【要約】      （修正有）【課題】複数の被洗浄車両の洗車を効率よく受け付け、利便性及び稼働率を向上できる洗車機を提供する。【解決手段】被洗浄車両のユーザの操作によって所望の洗車条件を設定する操作部７Ａを備え、設定された洗車条件に応じて、被洗浄車両ＣＡ１、ＣＡ２と洗車機本体１を前後方向に相対移動させながら被洗浄車両ＣＡ１、ＣＡ２の洗車を行う洗車機ＷＡにおいて、先行の被洗浄車両ＣＡ１及び後続の被洗浄車両ＣＡ２の洗車条件を同時に設定するグループ設定を操作部７Ａにより受付可能とした。【選択図】図７
2012162219.tif 000002
【特許請求の範囲】
【請求項１】
被洗浄車両のユーザの操作によって所望の洗車条件を設定する操作部を備え、設定された洗車条件に応じて、被洗浄車両と洗車機本体を前後方向に相対移動させながら被洗浄車両の洗車を行う洗車機において、
先行の被洗浄車両及び後続の被洗浄車両の洗車条件を同時に設定するグループ設定を前記操作部により受付可能としたことを特徴とする洗車機。
【請求項２】
所定位置に停車した先行の被洗浄車両に続く後続の被洗浄車両を検出する車両検出部を備え、後続の被洗浄車両を検知したときに前記グループ設定を受付可能としたことを特徴とする請求項１に記載の洗車機。
【請求項３】
後続の被洗浄車両が前記所定位置に停車したときに、予め設定された洗車条件を前記操作部に表示するとともに、前記洗車条件を修正して新たに設定可能とすることを特徴とする請求項２に記載の洗車機。
【請求項４】
前記グループ設定された被洗浄車両に対して洗車料金を割引にしたことを特徴とする請求項１〜３のいずれかに記載の洗車機。
【発明の詳細な説明】
【技術分野】
【０００１】
本発明は、給油所等に設置して被洗浄車両の洗車を行う洗車機に関する。
【背景技術】
【０００２】
従来、給油所等に設置される洗車機は被洗浄車両と洗車機本体を前後方向に相対移動させながら、洗剤等の液剤や洗浄水を被洗浄車両に噴霧して洗車を行う。また、液剤や洗浄水を噴霧しながらブラッシングして洗浄することや、洗浄後に風を吹き付けて乾燥することが行われている。
【０００３】
被洗浄車両のユーザは洗車機本体に設けられた操作パネルや洗車機本体に対して離れて設けられたリモートパネル等の操作部の操作によって洗車条件を設定する。これにより、被洗浄車両の洗車が受け付けられ、操作部で設定された洗車条件に基づいて洗車機本体を駆動して被洗浄車両が洗車される。
【先行技術文献】
【特許文献】
【０００４】
【特許文献１】特開平１１−２０８４２５号公報
【発明の概要】
【発明が解決しようとする課題】
【０００５】
しかしながら、上記従来の洗車機によると、複数の被洗浄車両の洗車を行う際に先行の被洗浄車両の洗車が終了すると、操作部によって後続の被洗浄車両の洗車が受け付けられる。このため、後続の被洗浄車両の洗車開始が遅くなり、洗車機の利便性が悪くなるとともに洗車機の稼働率が低下する問題があった。
【０００６】
本発明は、複数の被洗浄車両の洗車を効率よく受け付け、利便性及び稼働率を向上できる洗車機を提供することを目的とする。
【課題を解決するための手段】
【０００７】
上記目的を達成するために本発明は、被洗浄車両のユーザの操作によって所望の洗車条件を設定する操作部を備え、設定された洗車条件に応じて、被洗浄車両と洗車機本体を前後方向に相対移動させながら被洗浄車両の洗車を行う洗車機において、先行の被洗浄車両及び後続の被洗浄車両の洗車条件を同時に設定するグループ設定を前記操作部により受付可能としたことを特徴とする。
【０００８】
この構成によると、操作部の操作によって洗車モードを設定して洗車の受け付けが行われる。洗車機本体は設定された洗車モードに基づいて被洗浄車両に対して相対移動し、被洗浄車両の洗車を行う。グループ設定が選択されると先行の被洗浄車両及び後続の被洗浄車両の洗車条件が同時に設定される。そして、先行の被洗浄車両が洗車されると続いて後続の被洗浄車両が洗車される。
【０００９】
また、本発明は、上記構成の洗車機において、所定位置に停車した先行の被洗浄車両に続く後続の被洗浄車両を検出する車両検出部を備え、後続の被洗浄車両を検知したときに前記グループ設定を受付可能としたことを特徴とする。
【００１０】
この構成によると、先行の被洗浄車両が所定位置に停車して後続の被洗浄車両が車両検出部により検知されると、操作部によってグループ設定を受付可能とする。
【００１１】
また、本発明は、上記構成の洗車機において、後続の被洗浄車両が前記所定位置に停車したときに、予め設定された洗車条件を前記操作部に表示すると共に、前記洗車条件を修正して新たに設定可能とする。この構成によると、後続の被洗浄車両が所定位置に停車したときに予め設定された洗車条件が操作部に表示される。そして、ユーザは適宜設定された洗車条件を修正して新たに設定する。
【００１２】
また、本発明は、上記構成の洗車機において、前記グループ設定が選択されると、前記グループ設定された被洗浄車両に対して洗車料金を割引にしたことを特徴とする。
【発明の効果】
【００１３】
本発明によると、先行の被洗浄車両に続く後続の被洗浄車両のグループ設定を同時に受け付けて洗車条件を設定することができる。このため、精算等を一括で行うことができ、複数の被洗浄車両に対する洗車の受付時間を短縮することができる。従って、複数の被洗浄車両の洗車を効率よく受け付け、洗車機の利便性及び稼働率を向上することができる。
【００１４】
また、洗車条件の設定が不慣れなユーザに替わって先行の被洗浄車両のユーザが洗車条件を設定することができ、利便性をより向上することができる。更に、後続の被洗浄車両を検知しない場合にグループ設定が受け付けられないので、グループ外の車両を誤認してグループ設定の洗車条件で洗車することを防止できる。
【図面の簡単な説明】
【００１５】
【図１】本発明の第１実施形態の洗車機の全体構成を示す側面図
【図２】本発明の第１実施形態の洗車機の全体構成を示す正面図
【図３】本発明の第１実施形態の洗車機のリモートパネルを示す正面図
【図４】本発明の第１実施形態の洗車機のリモートパネルの構成を示すブロック図
【図５】本発明の第１実施形態の洗車機の洗車受け付けの動作を示すフローチャート
【図６】本発明の第１実施形態の洗車機のリモートパネルのグループ設定ボタンの一例
【図７】本発明の第２実施形態の洗車機の概略構成を示す平面図
【発明を実施するための形態】
【００１６】
本発明の実施形態を図面を参照して説明する。図１、図２は第１実施形態の洗車機を示す正面図及び側面図である。洗車機ＷＡは洗車機本体１を備え、洗車機本体１の侵入経路上にはリモートパネル７Ａが配される。被洗浄車両ＣＡ１や被洗浄車両ＣＡ２はリモートパネル７Ａの面前で停車し、詳細を後述するようにリモートパネル７Ａの操作によって洗車の受け付け等を行う。
【００１７】
洗車機本体１は被洗浄車両ＣＡ１、ＣＡ２を跨ぐ門型に形成される。洗車機本体１の底面には地面に設けられた左右一対のレール２上に配される車輪３が設けられる。これにより、洗車機本体１はレール２上を走行して被洗浄車両ＣＡ１、ＣＡ２に対して前後に相対移動する。
【００１８】
洗車機本体１には被洗浄車両ＣＡ１、ＣＡ２をブラッシングするトップブラシ４、サイドブラシ５及びロッカーブラシ６が設けられる。トップブラシ４は支持装置（不図示）を介して昇降自在で回転可能に支持され、被洗浄車両ＣＡ１、ＣＡ２の上面を洗浄する。サイドブラシ５は左右一対設けられ、被洗浄車両ＣＡ１、ＣＡ２の両側面と前後面を洗浄する。ロッカーブラシ６は左右一対設けられ、被洗浄車両ＣＡ１、ＣＡ２のタイヤを含む側面下部を洗浄する。また、トップブラシ４、サイドブラシ５及びロッカーブラシ６はブラシ軸（不図示）にブラシ毛や布（織布、編布、不織布等）を固着して形成される。
【００１９】
洗車機本体１の両側部には洗剤やワックス等の各種液剤を貯液する複数の貯液タンク（不図示）を収納するタンク収納部５０が配される。タンク収納部５０の上方には市水及び各貯液タンクからの液剤を電磁弁等を介して分配する分配配管部５１が設けられる。分配配管部５１には第１、第２浄水ノズル１１、１３、第１、第２洗剤ノズル１２、１５、撥水コートノズル１４、ワックスノズル１６が導出される。
【００２０】
第１、第２浄水ノズル１１、１２は洗車機本体１の手前側及び奥側にそれぞれ配され、被洗浄車両ＣＡ１、ＣＡ２に対して市水を噴射する。第１、第２洗剤ノズル１２、１５、は洗車機本体１の手前側及び奥側にそれぞれ配され、被洗浄車両ＣＡ１、ＣＡ２に対して洗剤を噴射する。撥水コートノズル１４は洗車機本体１の奥側に配され、被洗浄車両ＣＡ１、ＣＡ２に対して撥水コート剤を噴射する。ワックスノズル１６は洗車機本体１の奥側に配され、被洗浄車両ＣＡ１、ＣＡ２に対してワックスを噴射する。
【００２１】
また、洗車機本体１の中央上部にはトップ送風ノズル２１が設けられ、両側部にはサイド送風ノズル２２が昇降自在に設けられる。トップ送風ノズル２１及びサイド送風ノズル２２はブロワ２０からの送風を被洗浄車両ＣＡ１、ＣＡ２に対して吹き付けて乾燥させる。
【００２２】
洗車基本体１の前面上部には車両センサ８が設けられる。車両センサ８は光電センサや超音波センサ等から成り、洗車基本体１に侵入する被洗浄車両ＣＡ１、ＣＡ２の有無及び車高を検知する。被洗浄車両ＣＡ１、ＣＡ２の車高に応じてトップブラシ４やトップ送風ノズル２１が配置される。
【００２３】
尚、車両センサ８として投光器及び受光器を有する透過式光電センサを用いてもよい。この時、洗車基本体１の一側部に投光器を配置して他側部に受光器を投光器に対向配置し、洗車前に被洗浄車両ＣＡ１、ＣＡ２を洗車基本体１に通過させる。これにより、被洗浄車両ＣＡ１、ＣＡ２のボンネット高さ等を含む車形を正確に検知し、車形に応じてトップブラシ４やトップ送風ノズル２１等を配置することができる。
【００２４】
洗車機本体１の一方の側部の前面には操作パネル７が配される。操作パネル７は後述するリモートパネル７Ａと同様の操作ボタン１０６（図４参照）を備え、被洗浄車両ＣＡ１、ＣＡ２から降車したユーザ等の操作により洗車の受け付けを行う。
【００２５】
図３はリモートパネル７Ａの正面図を示している。リモートパネル７Ａは支柱７０に支持される複数の操作ボタン１０６（図４参照）を有した操作盤面式のパネル本体７１を備えている。パネル本体７１をタッチパネル式にしてもよい。支柱７０にはパネル本体７１を昇降する昇降装置（不図示）が内蔵される。パネル本体７１の右側端部には昇降ボタン８５が設けられる。
【００２６】
昇降ボタン８５は上昇ボタン８５ａ及び下降ボタン８５ｂから成り、昇降ボタン８５の操作によってパネル本体７１を下降端と上昇端の間で昇降させることができる。また、支柱９０にはパネル本体７１の高さを検出する高さ検出部９０が設けられ、パネル本体７１を下降端と上昇端を検知する。
【００２７】
パネル本体７１の上部にはコイン投入口７３及び紙幣投入口７４が設けられる。コイン投入口７３の左側方にはコインや紙幣の返却を指示する返却レバー７２が配され、コイン投入口７３の下方には投入金額を表示する金額表示部１１０が設けられる。紙幣投入口７４の右側方にはプリペイドカード等のカード型記録媒体の電子データを読み取るカード投入口７５が配される。カード投入口７５の右側方にはバーコードやＱＲコード（登録商標）等を光学的に読み取る読取部７６が配される。
【００２８】
金額表示部１１０の下方にはグループ設定ボタン１１５が配される。図６はグループ設定ボタン１１５の詳細図を示している。グループ設定ボタン１１５は複数の被洗浄車両ＣＡ１、ＣＡ２に対して洗車条件を同時に設定するグループ設定を指示する。グループ設定された複数の被洗浄車両ＣＡ１、ＣＡ２に対して洗車料金が割引されるようになっている。
【００２９】
また、グループ設定ボタン１１５は後述する車両検知部１０８（図１参照）による後続の被洗浄車両ＣＡ２を検知していないときには使用不可になっている。そして、車両検知部１０８により被洗浄車両ＣＡ２を検知するとグループ設定ボタン１１５を使用することができ、グループ設定を受付可能な状態になる。グループ設定ボタン１１５の側方にはグループ設定を受付可能な場合に点灯するランプ１１５Ａが設けられる。
【００３０】
グループ設定ボタン１１５の下方には複数の洗車条件設定ボタン１１１が設けられる。洗車条件設定ボタン１１１として、シャンプー、ワックス掛け、撥水コート等を水洗いに追加するボタンが設けられる。また、高級なシャンプー、高級なワックス、高級な撥水コート、特殊なコート等を行うボタンも設けられている。
【００３１】
洗車条件設定ボタン１１１の下方には複数の装備品設定ボタン１１２が設けられる。装備品設定ボタン１１２として、フロントガード有り、フェンダーポール有り、ドアミラー有り、リヤワイパー有り、該当装備品無し等のボタンが設けられている。
【００３２】
装備品設定ボタン１１２の下方にはスタート操作ボタン８４が設けられる。スタート操作ボタン８４はスタートボタン８４ａ及びキャンセルボタン８４ｂを有し、スタートボタン８４ａの押下によって洗車が開始される。また、キャンセルボタン８４ｂの押下によって洗車条件等を再設定することができる。スタート操作ボタン８４の下方にはつり銭やレシートを排出する払い出し部７９が設けられる。
【００３３】
パネル本体７１の底面には音声出力により報知を行うスピーカ８１が設けられる。スピーカ８１によって洗車モードの設定操作の内容・手順の案内や注意事項等の音声ガイドを出力可能としている。尚、音声ガイドの出力を停止する停止ボタン７７と音声ガイドの音量を調整するボリューム調整ボタン７８が右側部に設けられている。
【００３４】
パネル本体７１の下端には反射型光電センサ等により形成される車両検知部８０が設けられる。車両検知部８０によってリモートパネル７Ａの面前に停車した被洗浄車両ＣＡ１が検知される。尚、洗車機ＷＡには被洗浄車両ＣＡ１に続く後続の被洗浄車両ＣＡ２を検知する車両検知部１０８（図１参照）が設けられる。車両検知部１０８は車両検知部８０と同様に、反射型光電センサ等により形成される。
【００３５】
図４はリモートパネル７Ａの構成を示すブロック図である。リモートパネル７Ａは各部を制御する制御部１０１を備えている。制御部１０１には記憶部１０２、入出力部１０４、操作ボタン１０６、レシート発行部１０７、車両検知部８０、読取部７６、スピーカ８１が接続される。
【００３６】
記憶部１０２はＲＯＭ及びＲＡＭを有し、洗車機ＷＡの動作プログラムや洗車料金のデータベース等を格納するとともに制御部１０１による演算の一時記憶を行う。入出力部１０４は洗車機本体１及び車両検知部１０８と通信し、洗車条件に基づく洗車の指示等を出力するとともに車両検知部１０８の検知結果を入力する。レシート発行部１０７はレシートを印刷し、払い出し部７９（図３参照）から発行する。
【００３７】
図５は洗車機ＷＡの動作を示すフローチャートである。ステップＳ１では車両検知部８０の検知によって被洗浄車両ＣＡ１がリモートパネル７Ａの面前に停止したか否か判定される。被洗浄車両ＣＡ１がリモートパネル７Ａの面前に停止した場合はステップＳ２へ移行し、停止していない場合にはステップＳ１が繰り返される。
【００３８】
ステップＳ２ではリモートパネル７Ａの面前の被洗浄車両ＣＡ１が既にグループ設定されているか否か判断される。即ち、既にグループ設定がされている場合には、被洗浄車両ＣＡ１は先の車両の後続車両となる。既にグループ設定されている場合はステップＳ３に移行し、グループ設定されていない場合はステップＳ６に移行する。
【００３９】
ステップＳ６では車両検出部１０８によって後続の被洗浄車両ＣＡ２を検知したか否かが判断される。後続の被洗浄車両ＣＡ２を検知していない場合はステップＳ１０に移行し、被洗浄車両ＣＡ１の洗車条件が設定される。これにより、被洗浄車両ＣＡ１の洗車の受け付けが行われる。そして、洗車条件が洗車機本体１に送信され、ステップＳ１１に移行する。
【００４０】
車両検出部１０８によって後続の被洗浄車両ＣＡ２を検知した場合はステップＳ７に移行し、グループ設定ボタン１１５が有効となる。これにより、グループ設定を受け付け可能になり、ランプ１１５Ａが点灯する。
【００４１】
ステップＳ８ではグループ設定ボタン１１５が操作されたか否かが判断される。グループ設定ボタン１１５が操作されていない場合はステップＳ１０に移行し、先行の被洗浄車両ＣＡ１の洗車条件が設定される。
【００４２】
グループ設定ボタン１１５が操作された場合はステップＳ９に移行する。ステップＳ９では先行の被洗浄車両ＣＡ１及び後続の被洗浄車両ＣＡ２の洗車条件が設定される。例えば、先行の被洗浄車両ＣＡ１及び後続の被洗浄車両ＣＡ２の洗車モードを同じにしたり、車種によっては装備品の設定を一部変えたりする。これにより、複数の被洗浄車両ＣＡ１、ＣＡ２に対して洗車の受け付けが行われ、精算等を一括で行うことができる。そして、洗車条件が洗車機本体１に送信され、ステップＳ１１に移行する。
【００４３】
ステップＳ２の判断によって被洗浄車両ＣＡ１が既にグループ設定されている場合にステップＳ３に移行すると、洗車条件設定ボタン１１１や装備品設定ボタン１１２の点灯によって既に設定された洗車条件がリモートパネル７Ａ上に表示される。この時、先行する被洗浄車両が洗車条件を設定しているため後続の被洗浄車両が最初から洗車条件を設定する必要がなく、洗車機ＷＡの利便性を向上することができる。
【００４４】
ステップＳ４では先行の被洗浄車両が予め設定した洗車条件を修正する操作が行われたか否か判定される。洗車条件を修正しない場合にはステップＳ１１に移行する。修正の操作が行われた場合にはステップＳ５へ移行し、洗車条件を修正して洗車機本体１に送信される。例えば、予め設定した洗車条件が水洗いモードであった設定に対して洗剤を用いた洗剤モードに変更する修正等を行うことができる。
【００４５】
ステップＳ１１では、洗車条件に応じて被洗浄車両ＣＡ１が洗車される。即ち、洗車機本体１が被洗浄車両ＣＡ１に対して前後方向に相対移動し、被洗浄車両ＣＡに液剤や洗浄水を噴射してトップブラシ４、サイドブラシ５及びロッカーブラシ６が駆動される。これにより、被洗浄車両ＣＡ１が洗浄される。洗浄が終了すると、トップ送風ノズル２１及びサイド送風ノズル２２から送風して被洗浄車両ＣＡ１を乾燥して洗車が終了する。
【００４６】
また、被洗浄車両ＣＡ１の洗車が終了すると被洗浄車両ＣＡ２の洗車が行われる。この時、グループ設定されている場合はステップＳ３〜Ｓ５を経過した後、ステップＳ１１で洗車が行われる。
【００４７】
本実施形態によると、先行の被洗浄車両ＣＡ１に続く後続の被洗浄車両ＣＡ２をリモートパネル７Ａ（操作部）によりグループ設定を受け付けて洗車条件を設定することができる。このため、精算等を一括で行うことができ、複数の被洗浄車両ＣＡ１、ＣＡ２に対する洗車の受付時間を短縮することができる。従って、複数の被洗浄車両ＣＡ１、ＣＡ２の洗車を効率よく受け付け、洗車機ＷＡの利便性及び稼働率を向上することができる。
【００４８】
また、洗車条件の設定が不慣れなユーザに替わって先行の被洗浄車両ＣＡ１のユーザが洗車条件を設定することができ、利便性をより向上することができる。更に、後続の被洗浄車両ＣＡ２を検知しない場合にグループ設定が受け付けられないので、グループ外の車両を誤認してグループ設定の洗車条件で洗車することを防止できる。
【００４９】
また、所定位置に停車した先行の被洗浄車両ＣＡ１に続く後続の被洗浄車両ＣＡ２を検出する車両検出部１０８を備え、後続の被洗浄車両ＣＡ２を検知したときにグループ設定を受付可能としている。これにより、グループ外の車両を誤認してグループ設定の洗車条件で洗車することを防止できる。
【００５０】
また、後続の被洗浄車両ＣＡ２が所定位置に停車したときに、予め設定された洗車条件をリモートパネル７Ａ（操作部）に表示するとともに、洗車条件を修正して新たに設定可能としている。これにより、先行の被洗浄車両ＣＡ１のユーザによって洗車条件を誤設定した際に後続の被洗浄車両ＣＡ２のユーザによって洗車条件を修正することができる。従って、洗車機ＷＡの利便性をより向上することができる。
【００５１】
また、グループ設定された被洗浄車両ＣＡ１、ＣＡ２に対して洗車料金を割引にしたので、ユーザに対してグループ設定を促して洗車機ＷＡの利便性及び稼働率をより向上することができる。
【００５２】
次に図７は第２実施形態の洗車機の概略構成を示す平面図である。説明の便宜上、前述の図１〜図６に示す第１実施形態と同様の部分には同一の符号を付している。本実施形態は１台のリモートパネル７Ａに対して複数の洗車機本体１が設けられる。その他の部分は第１実施形態と同様である。
【００５３】
被洗浄車両ＣＡ１、ＣＡ２に対してグループ設定が行われると、リモートパネル７Ａにおいて、洗車機本体１が指定されてスピーカ８１（図３参照）により案内される。また、グループ外の被洗浄車両ＣＡ３、ＣＡ４に対して空いている洗車機本体１が指定されてスピーカ８１（図３参照）により案内される。これにより、グループ外の車両を誤認してグループ設定の洗車条件で洗車することを防止できる。
【００５４】
第１、第２実施形態において、リモートパネル７Ａと同様の操作ボタン１０６が設けられる操作パネル７（操作部）の操作によってグループ設定を行ってもよい。
【００５５】
また、後続の被洗浄車両を検出する車両検出部１０８を複数設けてもよい。これにより、先行の被洗浄車両ＣＡ１及び複数の後続の被洗浄車両ＣＡ２に対してグループ設定を行うことができる。
【００５６】
また、第３実施形態の洗車機として、被洗浄車両ＣＡ２を検出する車両検出部１０８を備えない構成であってもよい。この場合、被洗浄車両ＣＡ２のユーザはグループ設定に関連するパスワードや所定の情報をリモートパネル７Ａに提示して洗車設定を受け付ける。これにより、被洗浄車両ＣＡ２をグループ外の車両として誤認することがなくなる。
【符号の説明】
【００５７】
１    洗車機本体
２    レール
３    車輪
４    トップブラシ
５    サイドブラシ
６    ロッカーブラシ
７    操作パネル
７Ａ  リモートパネル
２１    トップ送風ノズル
２２    サイド送風ノズル
５０    タンク収納部
８０、１０８      車両検出部
１０６    操作ボタン
１１５    グループ設定ボタン
ＣＡ１、ＣＡ２、ＣＡ３、ＣＡ４    被洗浄車両
ＷＡ    洗車機
【図１】
2012162219.tif 000003
【図２】
2012162219.tif 000004
【図３】
2012162219.tif 000005
【図４】
2012162219.tif 000006
【図５】
2012162219.tif 000007
【図６】
2012162219.tif 000008
【図７】
2012162219.tif 000009